(57)【要約】【課題】右利きのユーザにも左利きのユーザにも使い勝手の良い操作性の向上が図られた糊転写具を提供する。【解決手段】糊転写具１は、糊を転写対象物に転写する糊転写部１２を有する本体部１１と、本体部１１の糊転写部１２の両側に対称に設けられる一対のローラ２４とを備える。一対のローラ２４には、転写対象物に折り目を付けるフランジ部２５が形成されている。例えば、一対のローラ２４のそれぞれは、外周面が平坦に形成され、一方の外周縁にフランジ部２５が形成されている。更に、糊転写部１２は、転写ローラ１４であり、糊転写部１２の回転軸１４ａと一対のローラ２４ａの回転軸とが、糊転写具１の通常の使用状態において、転写対象物に対する垂線Ｌ上に略並ぶように配置することができる。一対のローラ２４は、本体部に対して着脱可能なアタッチメント２１に設けることができる。【選択図】図１
2014079961.tif 000002
【特許請求の範囲】
【請求項１】
糊を転写対象物に転写する糊転写部を有する本体部と、
上記本体部の上記糊転写部の両側に対称に設けられる一対のローラとを備え、
上記一対のローラには、上記転写対象物に折り目を付けるフランジ部が形成されていることを特徴とする糊転写具。
【請求項２】
上記一対のローラのそれぞれは、外周面が平坦に形成され、一方の外周縁に上記フランジ部が形成されていることを特徴とする請求項１記載の糊転写具。
【請求項３】
上記糊転写部は、転写ローラであり、
上記転写ローラの回転軸と上記一対のローラの回転軸とが、該糊転写具の通常の使用状態において、上記転写対象物に対する垂線上に略並ぶように配置されていることを特徴とする請求項１記載の糊転写具。
【請求項４】
上記一対のローラは、上記本体部に対して着脱可能なアタッチメント部材に設けられていることを特徴とする請求項１−３の何れか記載の糊転写具。
【請求項５】
当該糊転写具は、上記転写対象物が載置された補助マット上を移動され、
上記補助マットは、上記一対のローラの一方が係合され、該糊転写具の移動をガイドするガイド部と、上記糊転写部と対向する位置に設けられ、上記糊が付着しない非転写部とを有することを特徴とする請求項１−４の何れか記載の糊転写具。
【発明の詳細な説明】
【技術分野】
【０００１】
本発明は、封筒のフラップ等の転写対象物に、折り目を付けながら糊付けをすることができる糊転写具に関する。
【背景技術】
【０００２】
特許文献１には、封筒のフラップに糊付けをし、フラップを折り曲げて封筒を封緘する封緘機が記載されている。この封緘機は、封筒が載置される台板にスライダが設けられ、このスライダがフラップの折り目線方向にスライドするように構成されている。このスライダは、折り目線方向にスライドされる際、往路において、フラップに糊付けをし、復路において、フラップの折り曲げ動作を行う。このように、この封緘機は、スライダの糊付けをする往路とフラップの折曲を行う復路とで作業が異なるため、往路と復路で操作力が異なり、ユーザにとって使いやすいものとは言えない。
【０００３】
また、ユーザには、右利きの者と左利きの者がいる。しかしながら、特許文献１の封緘機は、図面上、右利きのユーザを想定した者となっており、左利きのユーザにとって使いづらい装置となっている。そして、特許文献１の封緘機は、右利きのユーザと左利きのユーザのため、操作方法を切り換える機能を有するものでもない。
【０００４】
また、特許文献２及び３には、糊の転写具が記載されている。この転写具は、手のひらサイズの大きさで、転写対象物に転写する糊が保持されたテープが一対のスプールに巻回された状態で収納されたケース本体と、ケース本体に対して回動可能に設けられ転写対象物をケース本体とで挟み込むベースとを有している。この転写具は、糊付けの際、転写対象物をケース本体とベースとで挟み込みながら移動されることで、転写対象物に糊を転写することができる。
【０００５】
しかしながら、この転写具にあっても、転写対象物をケース本体とベースとで挟み込んで移動させる作業は、右利きと左利きのユーザの両方を想定した器具となっていない。一般に、この種の転写具にあっては、テープが一方向にしか走行しない。この転写具において、右利きユーザは、糊付けの際、この転写具を右手で把持し、ユーザ自身に近づく方向に移動させることになり、使い勝手の良いものとなっている。しかしながら、左利きのユーザが使用するときには、左手でこの転写具を把持しユーザ自身から離れる方向に移動させることになり、左利きユーザにとって使いづらい器具となっている。
【０００６】
また、特許文献２及び３の転写具は、転写対象物をケース本体とベースとで挟み込みながら移動されるものであり、移動の際のガイドが無いことから、例えば真っ直ぐに転写対象物に糊付けすることは困難である。
【先行技術文献】
【特許文献】
【０００７】
【特許文献１】特公平６−５３４３９号公報
【特許文献２】特許第４３５２９８４号公報
【特許文献３】特許第４２７４０４０号公報
【発明の概要】
【発明が解決しようとする課題】
【０００８】
本発明は、以上のような課題に鑑みてなされたものであり、右利きのユーザにも左利きのユーザにも使い勝手の良い操作性の向上が図られた糊転写具を提供することを目的とする。
【課題を解決するための手段】
【０００９】
本発明に係る糊転写具は、糊を転写対象物に転写する糊転写部を有する本体部と、上記本体部の上記糊転写部の両側に対称に設けられる一対のローラとを備える。そして、上記一対のローラには、上記転写対象物に折り目を付けるフランジ部が形成されている。
【００１０】
例えば、上記一対のローラのそれぞれは、外周面が平坦に形成され、一方の外周縁に上記フランジ部が形成されている。
【００１１】
更に、上記糊転写部は、転写ローラであり、上記転写ローラの回転軸と上記一対のローラの回転軸とが、該糊転写具の通常の使用状態において、上記転写対象物に対する垂線上に略並ぶように配置することができる。
【００１２】
更に、上記一対のローラは、上記本体部に対して着脱可能なアタッチメント部材に設けることができる。
【００１３】
更に、当該糊転写具は、上記転写対象物が載置された補助マット上を移動することで、例えば封筒の封緘作業を容易に行うことができる。例えば、上記補助マットは、上記一対のローラの一方が係合され、該糊転写具の移動をガイドするガイド部と、上記糊転写部と対向する位置に設けられ、上記糊が付着しない非転写部とで構成される。
【発明の効果】
【００１４】
本発明は、糊の転写方向に対して左右対称位置に一対のローラが設けられた左右対称構造なので、右利き、左利きの何れのユーザによっても使いやすいものとすることができる。このような糊転写具は、糊転写部の両側にフランジ部付きローラを設けることで、転写対象物に糊付けをしながら転写対象物に折り目を付けることができる。このような作業の際に、本発明は、糊転写部の両側に一対のローラが設けられているので、真っ直ぐに、糊付けをしながら折り目を付けることができる。
【００１５】
例えば、転写対象物が封筒で封緘作業を行う際には、専用の補助マットを用いることで、真っ直ぐに、糊付けをしながら封筒のフラップの折り目を付けることができる。
【図面の簡単な説明】
【００１６】
【図１】糊転写具とアタッチメントとを前面側から見た分解斜視図である。
【図２】糊転写具とアタッチメントとを背面側から見た分解斜視図である。
【図３】アタッチメントが装着された糊転写具を前面側から見た斜視図である。
【図４】アタッチメントが装着された糊転写具の正面図である。
【図５】アタッチメントが装着された糊転写具の使用状態を示す側面図である。
【図６】右利きのユーザがアタッチメントが装着された糊転写具を弾性シートのマット上で使用する状態を示す斜視図である。
【図７】左利きのユーザがアタッチメントが装着された糊転写具を弾性シートのマット上で使用する状態を示す斜視図である。
【図８】糊付けや折り目付けを真っ直ぐに形成する際に定規のように機能する補助マットの斜視図である。
【図９】補助マットを用いてアタッチメントが装着された糊転写具を使用している状態の断面図である。
【図１０】補助マットを用いてアタッチメントが装着された糊転写具の使用状態を示す側面図である。
【図１１】右利きのユーザがアタッチメントが装着された糊転写具を補助マット上で使用する状態を示す斜視図である。
【図１２】左利きのユーザがアタッチメントが装着された糊転写具を補助マット上で使用する状態を示す斜視図である。
【図１３】本体部の糊転写部の両側に一対のローラを設けた糊転写具の斜視図である。
【発明を実施するための形態】
【００１７】
以下、本発明を適用した糊転写具について、図面を参照して説明する。
【００１８】
図１−図４に示すように、本発明が適用された糊転写具１は、転写対象物に転写する糊が保持されたテープが一対のスプールに巻回された状態で収納された例えば手のひらで把持可能な大きさに形成された本体部１１を有する。この本体部１１は、該本体部１１に収納されたテープに保持された糊の一部を外部に臨ませる糊転写部１２が設けられている。
【００１９】
具体的に、本体部１１は、一対のケース半体を突き合わせ結合してなるものであって、内部に、糊が保持されたテープ６が巻回される供給側スプールと糊が転写された使用済みのテープ６が巻回される巻取側スプールとが回転自在に収納されている。これら一対のスプールは、それぞれがギヤ部を有し、ギヤ部が互いに噛合し、連動して回転するように構成されている。少なくとも一のギヤ部は、ケース半体と一体的な逆止爪が係止されており、巻取側スプールから供給側スプールへのテープ６の走行が禁止されている。本体部１１を構成する一対のケース半体は、分解可能となっており、テープ６が巻取側スプールに全て巻回され使用済みとなったとき、分解して、糊が保持されたテープ６が供給側スプールに巻回された新品と交換できるようになっている。なお、ケース本体内に配設されるギヤの数はこれに限定されるものではなく、例えばテープ６が供給側スプールのギヤ部と巻取側スプールのギヤ部との間に中間ギヤを設けるようにしても良い。
【００２０】
本体部１１には、曲率の大きな円弧状の一側面部１１ａに、糊転写部１２が設けられている。この糊転写部１２は、一側面部１１ａに形成された開口部１３に、本体部１１に回転支持された転写ローラ１４が配設されている。この転写ローラ１４は、供給側スプールから引き出されたテープ６が、糊が保持された面が外側となるように掛け合わされ、その後、巻取側スプールに巻回される構成となっている。更に、転写ローラ１４が配設された開口部１３は、本体部１１に回動自在に設けられた蓋体１５によって閉塞され、使用時に開放される。
【００２１】
以上のように構成された糊転写具１は、糊転写部１２を転写対象物に圧接させながら、転写対象物上を移動される。これにより、転写ローラ１４に掛け合わされているテープ６は、順次、供給側スプールから引き出され巻取側スプールに巻回されるように走行される。そして、転写ローラ１４の部分で、テープ６に保持された糊が転写対象物に転写される。
【００２２】
ところで、本体部１１の糊転写部１２の部分には、転写対象物に折り目を付けるアタッチメント２１を取り付けることができる。このアタッチメント２１は、本体部１１の糊転写部１２の部分に係合される係合凹部２２を有し、この係合凹部２２には、糊転写部１２を転写対象物に臨ませるための転写開口部２３が設けられている。アタッチメント２１には、転写開口部２３の両側に一対のローラ２４，２４が設けられている。一対のローラ２４，２４のそれぞれは、アタッチメント２１の側壁２１ａ，２１ｂにそれぞれ回転自在に取り付けられており、転写ローラ１４の近傍に位置する。
【００２３】
一対のローラ２４，２４のそれぞれは、外周面の一方の外周縁、ここでは外側にフランジ部２５，２５が形成されている。一対のフランジ部２５，２５は、先端面は、例えば平坦ではなく、円弧又は先鋭状に形成され、転写対象物に折り目を付けることができるようになっている。また、一対のローラ２４，２４の外周面は、フランジ部２５，２５以外の部分が凹凸のない曲面で構成された平坦部２６，２６となっており、糊付けの際、本体部１１の直進性が向上するようにしている。
【００２４】
アタッチメント２１は、本体部１１の一側面部１１ａに取り付ける着脱機構２７が設けられている。着脱機構２７は、アタッチメント２１の前面壁２１ｃと背面壁２１ｄに設けられている。前面壁２１ｃには、図１及び図２に示すように、本体部１１の前面１１ｃに形成された第１の前面側凹部２８ａに係止される第１の前面側係止突起２８ｂと、本体部１１の開口部１３の前面側開口端２８ｃに係止される第２の前面側係止突起２８ｄとが設けられている。また、背面壁２１ｄには、本体部１１の背面１１ｄに形成された第１の背面側凹部２９ａに係止される第１の背面側係止突起２９ｂと、本体部１１の開口部１３の背面側開口端２９ｃに係止される第２の背面側係止突起２９ｄとが設けられている。なお、背面壁２１ｄには、更に、本体部１１に対する着脱操作を行い易くするため、指を引っ掛けやすくする摘み部３０が形成されている。
【００２５】
図１−図３に示すように、転写対象物に折り目を付ける場合には、まず、本体部１１の一側面部１１ａに対してアタッチメント２１が取り付けられる。具体的に、本体部１１の前面１１ｃに形成された第１の前面側凹部２８ａには、第１の前面側係止突起２８ｂが係止され、開口部１３の前面側開口端２８ｃには、第２の前面側係止突起２８ｄが係止される。また、本体部１１の背面１１ｄの第１の背面側凹部２９ａには、第１の背面側係止突起２９ｂが係止され、開口部１３の背面側開口端２９ｃには、第２の背面側係止突起２９ｄが係止される。通常の使用態様において、アタッチメント２１には、糊の転写方向、すなわち本体部１１の前後方向に対して、糊転写具１を移動させるための操作力が加わる。着脱機構２７は、本体部１１の前面１１ｃと背面１１ｄとアタッチメント２１の前面壁２１ｃと背面壁２１ｄとを結合することによって、糊付け時に、不意に本体部１１からアタッチメント２１が外れることを防止する。
【００２６】
なお、着脱機構２７の構成は、以上の例に限定されるものではない。例えば、第１の前面側凹部２８ａや第１の前面側係止突起２８ｂや背面側開口端２９ｃの数、更に、第１の背面側凹部２９ａや第１の背面側係止突起２９ｂや第２の背面側係止突起２９ｄの数や位置や大きさは、上述の例に限定されるものではない。また、突起と凹部の係合が着脱機構としては構成が簡素であるが、面ファスナやネジを用いて本体部１１とアタッチメント２１とを結合する機構であっても良い。
【００２７】
ここで、図４及び図５に示すように、糊転写具１は、通常の使用状態を、転写対象物の載置面や転写対象物の表面に対して、糊の転写方向の傾きθ１が６０°を想定したものとなっている。これは、糊転写具１にアタッチメント２１を装着した状態であって装着していない状態であっても同じである。そこで、この糊転写具１は、通常の使用時、その傾きθ１が例えば６０°のとき、転写ローラ１４の回転軸１４ａとアタッチメント２１のローラ２４，２４の回転軸２４ａ，２４ａとが転写対象物の表面に対する垂線Ｌ上に略並ぶように設けられている（θ２＝９０°）。転写ローラ１４は、使用時において、アタッチメント２１の一対のローラ２４，２４の内側に位置し、外方から目視確認をしづらい位置にある。糊転写具１は、転写ローラ１４の回転軸１４ａがローラ２４，２４の回転軸２４ａ，２４ａの近傍において、転写対象物の表面に対する垂線Ｌ上に位置しているので、ユーザは、ローラ２４，２４の位置を目視確認することで、糊の転写開始位置と転写終了位置を容易に把握することができる。
【００２８】
なお、糊転写具１の通常の使用状態での傾きθ１は、上述した６０°に限定されるものではない。また、通常の使用状態におけるローラ２４，２４の回転軸２４ａと転写ローラ１４の回転軸１４ａとの位置関係も、転写対象物の表面に対する垂線Ｌ上から若干ずれていても良い。また、ローラ２４，２４の外形と転写ローラ１４の外形とが相似形の場合は、回転軸２４ａ，２４ａと回転軸１４ａとの位置関係が略同軸状となって垂線Ｌ上に位置しても良い。
【００２９】
アタッチメント２１は、一対のローラ２４，２４が設けられているので、糊転写具１の直進性が向上する。したがって、糊転写具１は、アタッチメント２１を装着した状態において、転写対象物に対して、折り目と糊付けを真っ直ぐに行うことができる。例えば、図６では、封筒２の先端のフラップ３に糊付けが行われる。アタッチメント２１付きの糊転写具１を用いる場合には、予めフラップ３の付け根に形成された折り目線４の上に一方のローラ２４のフランジ部２５を位置させ、フランジ部２５が折り目線４をなぞるように糊転写具１が図６中矢印Ｄ１方向に移動される。これにより、フラップ３は、更に折り曲げ作業を行い易い状態となり、また、フラップ３には、折り目線４と平行に、テープ６から糊が転写された直線状の糊ライン５が形成される。
【００３０】
なお、ここでの転写対象物としては、封筒２に限定されるものではない。封緘作業以外の容姿等に糊付けを行う際には、目的に応じて、ユーザは、糊転写具１への操作力の加え方を変えて、糊ラインを左右に曲げることもできる。
【００３１】
ところで、図６に示す例は、右利きのユーザが右手で把持して糊転写具１を使用している状態を示している。この糊転写具１は、図７に示すように、左利きのユーザであっても、糊転写具１を左手に把持するだけで、右利きのユーザと全く同じ操作感で使用することができる。すなわち、この糊転写具１は、糊の転写方向から見て、図４に示すように、左右対称の構造であることから、糊転写具１の移動方向を逆向き（図７中矢印Ｄ２方向）にするだけで、糊転写部１２を転写対象物に圧接しながら本体部１１を移動させた際の右利きのユーザと左利きのユーザの操作感を同じにすることができる。
【００３２】
また、一対のローラ２４，２４と転写ローラ１４との位置関係について見ると、図４に示すように、転写対象物に折り目を付けるため、一対のローラ２４，２４のフランジ部２５，２５が最も高く位置（図４中Ａ位置）し、次いで、転写対象物に糊付けを行う転写ローラ１４が位置し（図４中Ｂ位置）、次いで、一対のローラ２４，２４の平坦部２６，２６が位置する（図４中Ｃ位置）。そこで、図６及び図７に示すように、転写対象物の折り目を付ける際には、転写対象物の下側に下敷きとなる弾性マット３１を敷くことが好ましい。この弾性マット３１を使用したときには、折り目付け作業を行う際、図５に示すように、糊転写具１の本体部１１に装着されたアタッチメント２１の一方のローラ２４のフランジ部２５が直接弾性マット３１に食い込み平坦部２６が弾性マット３１の表面に当接する。また、他方のローラ２４のフランジ部２５が転写対象物を介して間接的に弾性マット３１に食い込み、平坦部２６が弾性マット３１上の転写対象物に当接する。これにより、転写ローラ１４は、転写対象物に圧接され、糊をテープ６から転写対象物に転写する。
【００３３】
弾性マット３１のように弾性部材を用いた場合には、図５に示すように、アタッチメント２１の一対のローラ２４，２４のフランジ部２５，２５が弾性マット３１に食い込み、更に、弾性マット３１上を平坦部２６が当接し走行することで、一層、転写対象物に真っ直ぐに、折り目を付け、更に、糊付けし易くなる。ここで用いる弾性マット３１としては、軟質のポリ塩化ビニル、発泡ポリエチレン、ナイロン等の一般的な弾性シート材料を用いることができるが、特に、シリコーン樹脂シートが好ましい。シリコーン樹脂シートは、一般に、糊が付着しない非転写性を有する。弾性マット３１にシリコーン樹脂シートを用いたときには、転写対象物から糊がはみ出たときにも、糊が弾性マット３１に付着することを防止でき、次に糊付けする転写対象物をはみ出した糊で汚損することを防止できる。
【００３４】
更に、糊付けや折り目付けを真っ直ぐに形成する場合には、図８に示すような補助マット４１を用いても良い。この補助マット４１は、糊付けや折り目を付ける際の定規として機能する。この補助マット４１は、図８に示すように、合成樹脂をモールド成形され、全体形状が矩形形状をなす。
【００３５】
この補助マット４１は、図８及び図９に示すように、一方の面に、長手方向に、アタッチメント２１付き糊転写具１をガイドするガイド部４２が設けられると共に、糊転写具１の糊転写部１２と対向する位置に、テープ６の糊が付着しない非転写部４３が設けられている。このガイド部４２は、アタッチメント２１の一方のローラ２４が係合する直線状のガイド凹部４４を有する。ガイド凹部４４は、一方のローラ２４の幅（厚さ）と略同じ幅で形成され、相対して第１の側壁４４ａと第２の側壁４４ｂとを有している。第１の側壁４４ａと第２の側壁４４ｂは、共に、略垂直壁であり、一方のローラ２４のガイド壁として機能する。第１の側壁４４ａは、一方のローラ２４の一方の側面と摺接し、第２の側壁４４ｂは、一方のローラ２４の他方の側面と摺接する。ガイド凹部４４の第１の側壁４４ａ側の底面には、一方のローラ２４のフランジ部２５を退避する第１の退避溝４４ｃが形成されている。
【００３６】
なお、ガイド凹部４４の両端は、一方のローラ２４を係合させやすいように拡幅するように形成されている。また、第１の退避溝４４ｃも、一方のローラ２４のフランジ部２５を係合させやすいように拡幅するように形成されている。
【００３７】
また、ガイド部４２は、ガイド凹部４４と一対のローラ２４，２４間の略距離分、離間して第２の退避溝４５が形成されている。この第２の退避溝４５は、他方のローラ２４のフランジ部２５を退避させる溝となる。この第２の退避溝４５には、封筒２のフラップ３に折り目線４を付ける他方のローラ２４のフランジ部２５が係合する。したがって、糊付けの際には、封筒２のフラップ３の折り目線４が位置合わせされる。
【００３８】
なお、ガイド部４２は、アタッチメント２１の少なくとも一方のローラ２４をガイドするものであればその構成は特に限定されるものではない。例えば、ガイド部４２は、少なくとも、第１の側壁４４ａ、第２の側壁４４ｂの何れか一方を有していればよい。この場合、一方のローラ２４の一方の側面を第１の側壁４４ａ、第２の側壁４４ｂに摺接させることで、糊転写具１を直線的に移動させることができる。
【００３９】
ガイド凹部４４と第２の退避溝４５との間には、糊転写部１２と対向される非転写部４３が設けられている。非転写部４３は、補助マット４１の長手方向に亘って設けられる弾性マット４６で構成されている。これにより、弾性マット４６は、糊転写部１２からの圧接力を受け、確実に転写ローラ１４にカイドされたテープ６の糊を転写対象物である封筒２のフラップ３に確実に転写することができる。ここで用いられる弾性マット４６も、上述のようなシリコーン樹脂シートが好ましい。弾性マット４６は、シリコーン樹脂シートを用いることで、フラップ３をはみ出した糊が弾性マット３１に付着することを防止でき、次に糊付けする封筒２を糊で汚損することを防止できる。
【００４０】
この補助マット４１は、長手方向と直交するように封筒２が配置されるものであり、糊付けを行う封筒２の位置規制をする一対のガイド突部４７，４７が設けられている。ガイド突部４７，４７の間は、封筒２が載置される載置部４８となり、平坦面で構成されている。この載置部４８には、例えば、封筒２の配置状態を模して表示した配置状態表示部を凹凸や印刷やシールで形成してもよい。また、この載置部４８と第２の退避溝４５は隣接する位置関係にある。したがって、載置部４８には、第２の退避溝４５に封筒２の折り目線４を合わせるように促す矢印等の折目位置表示部を凹凸や印刷やシールで形成してもよい。
【００４１】
なお、ガイド突部４７，４７の間隔は、使用する封筒２の幅に一致させるように設けられるものであり、例えば、長形３号封筒であれば１２０ｍｍ、角形２号封筒であれば２４０ｍｍである。
【００４２】
また、ガイド凹部４４と非転写部４３との間には、載置部４８に載置される封筒２のフラップ３の先端部が位置されるフラップガイド部４９が形成されている。このフラップガイド部４９は、非転写部４３へ降下する傾斜面部で構成されている。フラップガイド部４９は、傾斜面部としたことによって、フラップ３の先端部が傾斜面部上を移動可能となり、フラップ３に形成する折り目線４の位置を第２の退避溝４５に位置合わせする際の微調整を行うことができるようにしている。なお、フラップガイド部４９は、垂直面で構成して、封筒２位置が一義的に決まるようにしても良い。
【００４３】
以上のような補助マット４１を用いる場合には、先ず、載置部４８上に転写対象物となる封筒２を、フラップ３を非転写部４３側にして載置される。次いで、図９及び図１１に示すように、封筒２の折り目線４は、第２の退避溝４５に位置合わせされる。この後、糊転写具１に装着されたアタッチメント２１の一方のローラ２４は、ガイド凹部４４に係合される。具体的に、一方のローラ２４のフランジ部２５は、ガイド凹部４４の底面に形成された第１の退避溝４４ｃと係合する。すると、自ずと、他方のローラ２４のフランジ部２５は、第２の退避溝４５上に位置する。そして、糊転写具１をガイド凹部４４に沿って移動すると（図１１中矢印Ｄ１方向）、他方のローラ２４のフランジ部２５は、フラップ３の折り目線４上を圧接し、第２の退避溝４５に係合しながら回転する。また、糊転写部１２は、非転写部４３上のフラップ３に圧接され、転写ローラ１４にガイドされたテープ６の糊を転写する。このように、補助マット４１を用いる場合には、一方のローラ２４がガイド凹部４４に係合し、他方のローラ２４のフランジ部２５が第２の退避溝４５に係合することで、弾性マット３１を用いた場合より、一層、糊付けや折り目付けを真っ直ぐに形成することができる。
【００４４】
この場合にあっても、図１０に示すように、糊転写具１は、傾きθ１が例えば６０°の状態となり、転写ローラ１４の回転軸１４ａとアタッチメント２１のローラ２４，２４の回転軸２４ａ，２４ａとが転写対象物の表面に対する垂線Ｌ上に略並ぶ。したがって、ユーザは、ローラ２４，２４の位置を目視確認することで、糊の転写開始位置と転写終了位置を把握することができる。
【００４５】
ところで、図１１に示す例は、右利きのユーザが右手で把持して糊転写具１を使用している状態を示している。この糊転写具１は、図１２に示すように、左利きのユーザであっても、糊転写具１を左手に把持するだけで、右利きのユーザと全く同じ操作感で使用することができる。すなわち、この糊転写具１は、糊の転写方向から見て、図９に示すように、左右対称の形状であることから、糊転写具１の移動方向を逆向き（図１２中矢印Ｄ２方向）にするだけで、糊転写部１２を転写対象物に圧接しながら本体部１１を移動させた際の右利きのユーザと左利きのユーザの操作感を同じにすることができる。そして、補助マット４１も、同じものを使用することができる。
【００４６】
なお、図１３は、変形例となる糊転写具６１の斜視図である。この糊転写具６１は、本体部の糊転写部１２の両側に一対のローラ２４，２４を設けている。これにより、糊転写具６１は、アタッチメント２１が不要になり、使い勝手を向上させることができる。そして、この糊転写具６１にあっても、左右対称の構造なので、右利き、左利きの何れのユーザによっても使いやすいものとすることができる。
【００４７】
以上説明した糊転写具１は、糊がテープ６に保持され、この糊を転写対象物に転写する場合を説明したが、糊としては、液体、ゲル又は固形の糊であっても良い。本体部１１の内部構成は、糊の種類に応じた構成となる。
【符号の説明】
【００４８】
１  糊転写具、２  封筒、３  フラップ、４  折り目線、５  糊ライン、６  テープ、１１  本体部、１１ａ  一側面部、１１ｃ  前面、１１ｄ  背面、１２  糊転写部、１３  転写開口部、１４  転写ローラ、１４ａ  回転軸、１５  蓋体、２１  アタッチメント、２１ａ，２１ｂ  側壁、２１ｃ  前面壁、２１ｄ  背面壁、２２  係合凹部、２３  転写開口部、２４  ローラ、２４ａ  回転軸、２５  フランジ部、２６  平坦部、２７  着脱機構、２８ａ  前面側凹部、２８ｂ  前面側係止突起、２８ｃ  前面側開口端、２８ｄ  前面側係止突起、２９ａ  背面側凹部、２９ｂ  背面側係止突起、２９ｃ  背面側開口端、２９ｄ  背面側係止突起、３０  摘み部、３１  弾性マット、４１  補助マット、４２  ガイド部、４３  非転写部、４４  ガイド凹部、４４ａ  第１の側壁、４４ｂ  第２の側壁、４４ｃ  第１の退避溝、４５  第２の退避溝、４６  弾性マット、４７  ガイド突部、４８  載置部、４９  フラップガイド部、６１  糊転写具、Ｌ  垂線
【図１】
2014079961.tif 000003
【図２】
2014079961.tif 000004
【図３】
2014079961.tif 000005
【図４】
2014079961.tif 000006
【図５】
2014079961.tif 000007
【図６】
2014079961.tif 000008
【図７】
2014079961.tif 000009
【図８】
2014079961.tif 000010
【図９】
2014079961.tif 000011
【図１０】
2014079961.tif 000012
【図１１】
2014079961.tif 000013
【図１２】
2014079961.tif 000014
【図１３】
2014079961.tif 000015